(57)【特許請求の範囲】
【請求項１】
軸筒の先端に筆記体を覆うキャップが着脱自在に取り付けられ、後端を押圧することによって筆記体を繰り出す筆記具において、そのキャップにクリップを設けると共に、そのクリップを前記キャップよりも長く形成し、前記軸筒の把持する部分に弾性材質よりなるグリップを配置すると共に、前記クリップの前方部に玉部を形成し、その玉部を前記グリップの表面に食い込ませ、前記キャップを軸筒の後端にも着脱可能にすると共に、軸筒の後端に取り付けた際には、前記クリップの玉部と軸筒の表面との間に、隙間を形成したことを特徴とする筆記具。
【発明の詳細な説明】
【０００１】
【発明の属する技術分野】
本発明は、軸筒の先端に筆記体を覆うキャップが着脱自在に取り付けられた筆記具において、そのキャップにクリップを設けると共に、そのクリップを前記キャップよりも長く形成した筆記具に関する。
【０００２】
【従来の技術】
軸筒の先端にキャップを着脱自在に取り付けた筆記具の１例として、特開平７−３３６８９号公報がある。軸筒の前方部には、キャップが着脱自在に取り付けられており、そのキャップには、クリップが取り付けられている。そして、そのクリップは、前記キャップよりも長く形成されており、前記軸筒の把持する部分まで延設形成されている。また、そのクリップの前方部分には、玉部が形成されており、前記軸筒の表面に接触しているかのように、多少に隙間を形成した状態で近接している。
【０００３】
【発明が解決しようとする課題】
しかし、上記の従来技術にあっては、軸筒やクリップが硬質な樹脂で成形されているため、その表面は滑りやすく、その結果、ポケットなどに差し込んだ際に、外力が少しでも作用してしまうと抜け落ちてしまうことがあった。
そこで、前記クリップの弾性力を向上させ、クリップの玉部を軸筒の表面に強固に圧接させることによって、クリップの挟持力を高めることも考えられたが、常に、クリップに強固な反発力が作用しているため、径時的な安定性が悪く、短期間で挟持力を失ってしまったり、強いては、クラック（ヒビ、割れ）などが発生してしまい、これまた挟持力を失ってしまうものであった。
【０００４】
【課題を解決するための手段】
本発明は、軸筒の先端に筆記体を覆うキャップが着脱自在に取り付けられ、後端を押圧することによって筆記体を繰り出す筆記具において、そのキャップにクリップを設けると共に、そのクリップを前記キャップよりも長く形成し、前記軸筒の把持する部分に弾性材質よりなるグリップを配置すると共に、前記クリップの前方部に玉部を形成し、その玉部を前記グリップの表面に食い込ませ、前記キャップを軸筒の後端にも着脱可能にすると共に、軸筒の後端に取り付けた際には、前記クリップの玉部と軸筒の表面との間に、隙間を形成したことを要旨とする。
【０００５】
【作用】
クリップの弾性挟持力によって、そのクリップの玉部が弾性材質よりなるグリップの表面に潜り込むと共に、挟み込む物のグリップに対する摩擦力が向上する。
【０００６】
【実施例】
１例として、シャープペンシルを図１〜図９に示し説明する。軸筒１の内部には、芯タンク２が前後動自在に配置されている。その芯タンク２の前方には、継ぎ手部材３を介して芯の把持・解放を行うチャック体４が固定されている。そのチャック体４の前方部分には、チャック体４の開閉を行うチャックリング５が囲繞している。符号６は、コイルスプリングなどの弾撥部材であり、その弾撥部材６は、前記の芯タンク２やチャック体５などを後方に付勢している。
また、前記軸筒１の前端には、螺着などの手段によって先部材７が着脱自在に固定されており、その先部材７の内部には、芯の後退を阻止する芯戻り止め部材８が内設しているが、先部材７と一体成形するなどしても良い。符号９は、先部材７の先端に固定された金属材質よりなる芯保護管であるが、これも、前記の芯戻り止め部材と同様に、先部材７に一体成形しても良い。
【０００７】
また、前記軸筒１の把持する部分（本例では、軸筒１の前方部分）には、円周上の凹部１０形成されており、その凹部１０には、ゴム状弾性体からなるグリップ１１が配置されている。そのグリップ１１の表面には、多数の凹部１２が形成されており、滑り防止、並びに、美感などを向上させている。
更に、前記軸筒１の凹部１０よりも前方には、鍔部１３を介して、その鍔部１３よりも径の小さい嵌合凹部１４が形成されている。
その嵌合凹部１４には、キャップ１５の内面突起１６が係合している。この内面突起１６は、キャップ１５の内面に周状に形成しても良いが、放射状に形成しても良い。ちなみに、本例では、放射状の位置の４箇所に形成している。また、その内面突起１６は、前記軸筒１の嵌合凹部１４に完全に填り込んでいるのではなく、嵌合凹部１４の前方に形成されている山部１７に当接し係合している。そして、キャップ１５の後端面１８が、軸筒１の鍔部１３に当接している。つまり、キャップ１５を軸筒１の山部１７と鍔部１３とで挟み込むことによって、軸筒１に確実に嵌合させている（図３参照）。
【０００８】
また、前記キャップ１５には、クリップ１９が形成されているが、そのクリップ１９は、キャップ１５よりも長く形成されている。そして、そのクリップ１９の端部近傍には、玉部２０が軸筒１の方向に向かって形成されており、その玉部２０は、前記グリップ１１に若干ではあるが食い込んでいる（図４、図５参照）。尚、本例では、前記クリップ１９の玉部２０が、グリップ１１の凹部１２に位置した際には、当然、その凹部１２に潜り込むようになっているが（図６参照）、接触はしていない。接触していない分、挟持力は弱まるものの、挟み込まれる物が凹部１２に沿って湾曲した状態で入り込むため、その接触面積は大きく、また、弾性材質よりなるグリップ１１自体の摩擦力とも相まって、摩擦抵抗力も大となり、挟み込まれた物の脱落が極力防止される。
しかし、クリップ１９を弾性的な径時安定性の良い材質で成形するならば、凹部１２においても、若干食い込むようにしても良い。
尚、符号２１は、使用する芯径や芯の硬度などが表示された表示部材である。その表示部材２１を交換するだけで、キャップ１５を種々のシャープペンシルに適用させることができる。
【０００９】
前記芯タンク２の後方部は、軸筒１の後端から突出しており、その突出した中間部には、膨出部２２が形成されている。その膨出部２２には、前記キャップ１５の内面突起１６が係合する嵌合凹部２３と、キャップ１５の後端面１８が当接する鍔部２４とが形成されている。つまり、キャップ１５を軸筒１の前方に取り付けたと同様な構成で嵌合している（図２、図８参照）。
また、前記膨出部２２の内側には、空間部２５が形成されている。更に、膨出部２２の鍔部２４の外径は、軸筒１の後端の外径よりも、若干、大径に形成されている。シャープペンシルを落下させてしまった場合に、弾力性のある鍔部２４を床などに接触させることによって、軸筒１の後端近傍への衝撃を緩和させ、該部分のヒビや割れを防止している。また、前記膨出部２２の空間部２５は、成形の際に発生する「引け（成形後の冷却における、樹脂の収縮による凹部の発生：厚さが厚いほど発生が顕著になる）」なども防止していると共に、キャップ１５や膨出部２２の寸法のバラツキを空間部２５で吸収させている。その結果、各々の部材に対する無理な作用を減少させることができ、もって、キャップ１５の膨出部２２に対する着脱における嵌合の径時的な耐久性を向上させることができる。
尚、芯タンク２の後方には、消しゴム２６が取り付けられており、また、その消しゴム２６を覆うように消しゴムキャップ２７も着脱自在に取り付けられている。
【００１０】
ここで、前記キャップ１５を芯タンク２の膨出部２２に嵌合させた場合には、クリップ１９（の玉部２０）と軸筒１の表面との間には隙間２８が形成される（図９参照）。芯の繰り出しを行う際には、前記キャップ１５を押圧させるが、この時生じる、玉部２０と軸筒１表面の擦れによる押圧荷重の低減を図っていると共に、軸筒１表面への傷の発生も防止している。また、軸筒１の後方に、例えば、メーカー名やキャラクターなどの印刷が施されている場合であっても、「擦れ」が発生しないため、傷つけることなく美観を損なうことなどもない。
そして、更には、クリップの反発力によって芯タンクが傾斜し、その傾斜した芯タンクが軸筒内面へ接触することもなく、もって、芯タンクの表面や軸筒内面への傷が防止される。即ち、軸筒を透明性のある材質で形成した場合には、特に、有効な手段となる。
【００１１】
【発明の効果】
本発明においては、ポケットなどからの抜け落ちを極力防止することができると共に、径時的に安定したクリップの挟持力が得られる。
【図面の簡単な説明】
【図１】本発明の１例を示す縦半断面図（不使用時）。
【図２】本発明の１例を示す縦半断面図（使用時）。
【図３】図１の要部拡大図（キャップ嵌合部分）。
【図４】図１の要部拡大図（クリップの玉部の食い込み部分）。
【図５】図１のＡ−Ａ線断面図。
【図６】図５のキャップを４５度回転させたときの図。
【図７】図１の要部拡大図（芯タンクの膨出部分）。
【図８】図２の要部拡大図（キャップ嵌合部分）。
【図９】図２の要部拡大図（クリップの玉部部分）。
【符号の説明】
１      軸筒
２      芯タンク
３      継ぎ手部材
４      チャック体
５      チャックリング
６      弾撥部材
７      先部材
８      芯戻り止め部材
９      芯保護管
１０    凹部
１１    グリップ
１２    凹部
１３    鍔部
１４    凹部
１５    キャップ
１６    内面突起
１７    山部
１８    後端面
１９    クリップ
２０    玉部
２１    表示部材
２２    膨出部
２３    凹部
２４    鍔部
２５    空間部
２６    消しゴム
２７    消しゴムキャップ
【図１】
0004144146.tif 000002
【図２】
0004144146.tif 000003
【図３】
0004144146.tif 000004
【図４】
0004144146.tif 000005
【図５】
0004144146.tif 000006
【図６】
0004144146.tif 000007
【図７】
0004144146.tif 000008
【図８】
0004144146.tif 000009
【図９】
0004144146.tif 000010